(57)【要約】【課題】ＳＳＣＧの変調度を大きくすることなく、且つ低コストで、複数の電子部品から放射されるノイズを効果的に低減する。【解決手段】一定周波数の第１クロック信号を生成する第１クロック生成器と、前記第１クロック信号の周波数変調を行うことで周期的に周波数が変動する第２クロック信号を生成する第２クロック生成器と、複数のクロック供給対象回路で使用される前記第２クロック信号の位相が、前記クロック供給対象回路毎に異なるように位相調整を行う位相調整回路とによってクロック供給システムを構成する。【選択図】図２
2011035611.tif 000002
【特許請求の範囲】
【請求項１】
一定周波数の第１クロック信号を生成する第１クロック生成器と、
前記第１クロック信号の周波数変調を行うことで周期的に周波数が変動する第２クロック信号を生成する第２クロック生成器と、
複数のクロック供給対象回路で使用される前記第２クロック信号の位相が、前記クロック供給対象回路毎に異なるように位相調整を行う位相調整回路と、
を備えることを特徴とするクロック供給システム。
【請求項２】
前記位相調整回路は、前記第２クロック生成器と複数のクロック供給対象回路との間に並列的に配設された前記第２クロック信号の伝送線路上に設けられた遅延回路から構成されていると共に、前記遅延回路のそれぞれは互いに異なる遅延量が設定されていることを特徴とする請求項１記載のクロック供給システム。
【請求項３】
前記位相調整回路は、前記複数のクロック供給対象回路の内、全部または一部の内部において前記第２クロック信号の入力端子と出力端子との間に配設された伝送線路上に設けられた遅延回路から構成されていると共に、前記遅延回路のそれぞれは同一の遅延量が設定されており、
前記複数のクロック供給対象回路は、前段のクロック供給対象回路における前記第２クロック信号の出力端子と後段のクロック供給対象回路における前記第２クロック信号の入力端子とが接続されるように直列接続され、最前段のクロック供給対象回路における前記第２クロック信号の入力端子は、前記第２クロック生成器における前記第２クロック信号の出力端子と接続されていることを特徴とする請求項１記載のクロック供給システム。
【請求項４】
画像形成に必要な複数のクロック供給対象回路と、
請求項１〜３のいずれか一項に記載のクロック供給システムとを備え、
前記クロック供給システムを用いて、前記画像形成に必要な複数のクロック供給対象回路に対しそれぞれ位相の異なる前記第２クロック信号を供給することを特徴とする画像形成装置。
【発明の詳細な説明】
【技術分野】
【０００１】
本発明は、クロック供給システム及び画像形成装置に関する。
【背景技術】
【０００２】
従来から、高周波クロックで動作する電子部品から放射されるノイズを低減するために、スペクトラム拡散クロック発振器（ＳＳＣＧ：Spread Spectrum Clock Generator）が用いられている。このＳＳＣＧは、水晶発振器等によって生成される一定周波数のクロック信号を周波数変調することにより、周期的に周波数が変動するクロック信号（周波数スペクトラムのピーク値が低減されたクロック信号）を生成するものである。
例えば、下記特許文献１には、ＳＳＣＧの具体的な利用例が開示されている。
【先行技術文献】
【特許文献】
【０００３】
【特許文献１】特開２００１−０１４０５６号公報
【発明の概要】
【発明が解決しようとする課題】
【０００４】
ところで、単一のＳＳＣＧを用いて複数の電子部品（例えばＣＰＵやＡＳＩＣ等）に周波数変調されたクロック信号を供給する場合、各電子部品で使用するクロック信号の変調周期が同期してしまい、各電子部品は同じ周波数で動作することになり、効果的なノイズ低減を図ることができないという問題がある。
【０００５】
例えば、電子写真方式の画像形成装置、特にタンデム方式の画像形成装置では、イエロー（Ｙ）、マゼンダ（Ｍ）、シアン（Ｃ）、ブラック（ＢＫ）の各色毎に、感光体ドラムの周面にレーザ光を照射して静電潜像を形成するレーザ露光器が設けられており、これら４つのレーザ露光器のそれぞれに制御用のＡＳＩＣが設けられている。このため、これら４つのＡＳＩＣに単一のＳＳＣＧを用いてクロック信号を供給すると、画像形成装置からのノイズ放射を十分に低減できなくなる虞がある。
【０００６】
このような問題に対して、ＳＳＣＧの変調度を大きくする方法が考えられるが、上記のような画像形成装置の場合、感光体ドラム上に形成される静電潜像、ひいては記録用紙上に形成される画像の品質に悪影響を与える可能性があるため、変調度を大きくすることは好ましくない。一方、ＡＳＩＣ等の電子部品毎に変調周期が異なるＳＳＣＧを用意するという方法も考えられるが、コストの増大を招くという別の問題が発生する。
【０００７】
本発明は、上述した事情に鑑みてなされたものであり、ＳＳＣＧの変調度を大きくすることなく、且つ低コストで、複数の電子部品から放射されるノイズを効果的に低減することが可能なクロック供給システム及び画像形成装置を提供することを目的とする。
【課題を解決するための手段】
【０００８】
上記目的を達成するために、本発明に係るクロック供給システムは、一定周波数の第１クロック信号を生成する第１クロック生成器と、前記第１クロック信号の周波数変調を行うことで周期的に周波数が変動する第２クロック信号を生成する第２クロック生成器と、複数のクロック供給対象回路で使用される前記第２クロック信号の位相が、前記クロック供給対象回路毎に異なるように位相調整を行う位相調整回路とを備えることを特徴とする。
また、本発明に係るクロック供給システムにおいて、前記位相調整回路は、前記第２クロック生成器と複数のクロック供給対象回路との間に並列的に配設された前記第２クロック信号の伝送線路上に設けられた遅延回路から構成されていると共に、前記遅延回路のそれぞれは互いに異なる遅延量が設定されていることを特徴とする。
また、本発明に係るクロック供給システムにおいて、前記位相調整回路は、前記複数のクロック供給対象回路の内、全部または一部の内部において前記第２クロック信号の入力端子と出力端子との間に配設された伝送線路上に設けられた遅延回路から構成されていると共に、前記遅延回路のそれぞれは同一の遅延量が設定されており、前記複数のクロック供給対象回路は、前段のクロック供給対象回路における前記第２クロック信号の出力端子と後段のクロック供給対象回路における前記第２クロック信号の入力端子とが接続されるように直列接続され、最前段のクロック供給対象回路における前記第２クロック信号の入力端子は、前記第２クロック生成器における前記第２クロック信号の出力端子と接続されていることを特徴とする。
一方、本発明に係る画像形成装置は、画像形成に必要な複数のクロック供給対象回路と、上記の特徴を有するクロック供給システムとを備え、前記クロック供給システムを用いて、前記画像形成に必要な複数のクロック供給対象回路に対しそれぞれ位相の異なる前記第２クロック信号を供給することを特徴とする。
【発明の効果】
【０００９】
本発明によれば、第２クロック生成器によって生成される第２クロック信号（周波数変調されたクロック信号）を、各クロック供給対象回路毎に位相が異なるように位相調整して供給するため、単一の第２クロック生成器を用いて、各クロック供給対象回路に変調周期がずれた第２クロック信号を供給することが可能となる。つまり、本発明によれば、第２クロック発生器の変調度を大きくすることなく、且つ低コストで、複数のクロック供給対象回路から放射されるノイズを効果的に低減することが可能となる。
【図面の簡単な説明】
【００１０】
【図１】本発明の一実施形態における画像形成装置１００の概略構成図である。
【図２】本実施形態におけるクロック供給システムのブロック構成図である。
【図３】クロック供給システムにおける第２クロック信号の変調波形を示す図である。
【図４】変形例１におけるクロック供給システムのブロック構成図である。
【図５】変形例２におけるクロック供給システムのブロック構成図及びタイミングチャートである。
【発明を実施するための形態】
【００１１】
以下、図面を参照しながら、本発明の一実施形態について説明する。
なお、以下では、本発明に係る画像形成装置として、コピー機、プリンタ等の機能を１台に集約したＭＦＰ(Multi Function Peripherals)を例示して説明する。
図１は本実施形態における画像形成装置１００の構成概略図である。この図１に示すように、画像形成装置１００は、原稿を読み取るための原稿読取装置（原稿読取部）１と、原稿読取装置１によって読み取った原稿の画像データ、または通信回線を介して外部から送信された画像データに基づいて記録用紙に画像を形成するタンデム方式のＭＦＰ本体２とから概略構成されている。
【００１２】
原稿読取装置１は、スキャナ部１０及びＡＤＦ(Auto Document Feeder：自動原稿給紙装置)２０から構成されている。スキャナ部１０は、プラテンガラス１１上にセットされた原稿、またはＡＤＦ２０によって自動給紙される原稿の読み取りを行うものであり、プラテンガラス１１、１２、走査部１３、ミラーユニット１４、集光レンズ１５及びＣＣＤ(Charge Coupled Devices)センサ１６等を備えている。
【００１３】
プラテンガラス１１は、読み取り対象の原稿を１枚ずつセットするためのガラス板である。走査部１３は、プラテンガラス１１の下方において、不図示の駆動機構によりプラテンガラス１１に沿って左右方向（走査方向）に往復移動可能に設けられており、照明光を斜め上方に向けて出射するランプ１３ａと、照明光の反射光を後述するミラーユニット１４に向けて反射するミラー１３ｂを内蔵している。
【００１４】
ミラーユニット１４は、走査部１３と同様に、不図示の駆動機構によりプラテンガラス１１に沿って左右方向に往復移動可能に設けられており、走査部１３のミラー１３ｂからの入射光を下方に向けて反射するミラー１４ａと、ミラー１４ａからの入射光を後述する集光レンズ１５に向けて反射するミラー１４ｂを内蔵している。なお、駆動機構により、走査部１３の移動量とミラーユニット１４の移動量との比率は１：０．５となるように制御されている。これにより、集光レンズ１５に達するまでの照明光の光路長が一定となるように制御される。
【００１５】
プラテンガラス１１上にセットされた原稿を読み取る場合は、走査部１３及びミラーユニット１４を走査方向に移動させることで原稿をスキャンするが、後述するＡＤＦ２０によって原稿を自動給紙する場合には、走査部１３をプラテンガラス１２の原稿読取位置にて待機させ、原稿側を移動（搬送）させることで複数枚セットされた原稿を連続的にスキャンする。
【００１６】
集光レンズ１５は、ミラーユニット１４のミラー１４ｂからの入射光を集光してＣＣＤセンサ１６の受光面に結像させる。ＣＣＤセンサ１６は、不図示のＣＣＤ駆動部から供給されるタイミング信号に同期して作動し、受光面にて受光した光を光電変換することにより、読み取った原稿の画像に応じたアナログ電圧信号を生成してＡＦＥ（アナログフロントエンド：図示省略）に出力する。なお、ＡＦＥは、上記のアナログ電圧信号を所定のゲイン設定値にて増幅した後、デジタル変換して読み取った原稿の画像を表す画像データを生成するものであり、この画像データはＭＦＰ本体２に設けられた画像データメモリ（図示省略）に記憶される。
【００１７】
ＡＤＦ２０は、原稿載置トレイ２２にセットされた複数枚の原稿を１枚ずつ連続的に自動給紙するものであり、プラテンカバー２１、原稿載置トレイ２２、ピックアップローラ２３、レジストローラ２４、プラテンローラ２５及び排紙ローラ２６等から構成されている。プラテンカバー２１は、スキャナ部１０の上面に対して開閉可能に設けられており、プラテンガラス１１上に原稿をセットして読み取りを行う場合における原稿押さえカバーとしての役割と、ピックアップローラ２３、レジストローラ２４、プラテンローラ２５及び排紙ローラ２６等の自動給紙機構に使用される部材の収納用筐体としての役割を担っている。なお、図１では、プラテンカバー２１が閉じられた状態を示している。
【００１８】
原稿載置トレイ２２は、読み取り対象の原稿をセットするためのトレイである。ピックアップローラ２３は、原稿載置トレイ２２にセットされた原稿を１枚ずつピックアップしてレジストローラ２４に搬出するためのローラである。レジストローラ２４は、所定のタイミングで原稿をプラテンローラ２５に搬送するためのローラである。プラテンローラ２５は、原稿を所定の原稿読取位置を経由して排紙ローラ２６に搬送するためのローラである。排紙ローラ２６は、読み取り完了後の原稿を外部に排出するためのローラである。
【００１９】
ＭＦＰ本体２は、原稿読取装置１にて読み取った原稿の画像データ、または通信回線を介して外部から送信された画像データに基づいて、電子写真方式によってトナー画像を形成し、そのトナー画像を記録媒体である記録用紙に転写するトナー画像形成部３と、トナー画像形成部３によって記録用紙に転写されたトナー画像を定着させる定着部４と、トナー画像形成部３及び定着部４を経由して記録用紙を外部に搬送するための用紙搬送機構５と、各種サイズの用紙を収容するための給紙カセット６、７、８とを備えている。さらに、ＭＦＰ本体２には、開閉自在な手差しトレイ９が設けられており、手差しトレイ９に載置された記録用紙を用紙搬送機構５によって搬送可能な構成となっている。
【００２０】
トナー画像形成部３は、中間転写ベルト３１と、イエロー（Ｙ）、マゼンダ（Ｍ）、シアン（Ｃ）、ブラック（ＢＫ）の各色にそれぞれ対応したトナー画像形成ユニットＦ（ＦＹ、ＦＭ、ＦＣ、ＦＢ）と、駆動ローラ３２と、テンションローラ３３と、二次転写ローラ３４と、クリーナー３５とから構成されている。
【００２１】
中間転写ベルト３１は、各トナー画像形成ユニットＦ（ＦＹ、ＦＭ、ＦＣ、ＦＢ）によって形成される各色のトナー画像を１次転写するための中間転写体であり、駆動ローラ３２及びテンションローラ３３に張架されて、図１において時計回りに回走する構成となっている。
【００２２】
トナー画像形成ユニットＦ（ＦＹ、ＦＭ、ＦＣ、ＦＢ）は、それぞれ感光体ドラムＦａと、帯電器Ｆｂと、レーザ露光器Ｆｃと、現像器Ｆｄと、一次転写ローラＦｅとを備え、さらに不図示のクリーニング装置及び除電装置等とを備える。感光体ドラムＦａは、円柱に形状設定され、その周面に静電潜像及び当該静電潜像に基づくトナー画像が形成されるものである。帯電器Ｆｂは、感光体ドラムＦａに対して対向配置され、感光体ドラムＦａの周面を帯電状態とするものである。レーザ露光器Ｆｃは、画像データに基づいてレーザ光を帯電状態の感光体ドラムＦａの周面において走査して静電潜像を形成するものである。現像器Ｆｄは、感光体ドラムＦａの周面に対してトナーを付着させることによって感光体ドラムＦａの周面上に静電潜像に基づくトナー画像を形成（現像）するものである。
【００２３】
一次転写ローラＦｅは、中間転写ベルト３１を挟んで感光体ドラムＦａと対向配置され、感光体ドラムＦａに現像されたトナー画像を中間転写ベルト３１に一次転写するものである。二次転写ローラ３４は、中間転写ベルト３１を挟んで駆動ローラ３２と対向配置されており、給紙カセット６、７、８のいずれかから用紙搬送機構５によって搬送される記録用紙に、中間転写ベルト３１表面に転写されているトナー画像を２次転写するものである。
クリーナー３５は、クリーニングローラやクリーニングブレード等を備え、中間転写ベルト３１の残留トナーを除去するものである。
【００２４】
定着部４は、用紙上に二次転写されたトナー画像を定着させるものであり、加圧・加熱することによりトナーを定着させる加熱ローラ４１を備えている。用紙搬送機構５は、給紙カセット６、７、８から記録用紙を１枚ずつ搬出するためのピックアップローラ５１、５２、５３と、ピックアップした記録用紙をトナー画像形成部３（駆動ローラ３２と２次転写ローラ３４との間）に搬送するための給紙ローラ５４、５５、５６と、定着後の記録用紙を外部に排紙するための排紙ローラ５７等から構成されている。給紙カセット６、７、８は、ＭＦＰ本体２に対して引き出し自在に取り付けられており、各種サイズの記録用紙を収容するものである。
【００２５】
上記のような構成の画像形成装置１００において、レーザ露光器Ｆｃは、各色に対応するトナー画像形成ユニットＦ（ＦＹ、ＦＭ、ＦＣ、ＦＢ）毎に設けられており、さらに、これら４つのレーザ露光器Ｆｃのそれぞれに制御用のＡＳＩＣ（クロック供給対象回路）が設けられている。図２は、上記の４つのＡＳＩＣ（以下では、それぞれに符号６０Ｙ、６０Ｍ、６０Ｃ、６０Ｂを付す）に周波数変調されたクロック信号を供給するクロック供給システムのブロック構成図である。
【００２６】
なお、図２において、ＡＳＩＣ６０Ｙは、イエロー（Ｙ）に対応するトナー画像形成ユニットＦＹに設けられたレーザ露光器Ｆｃを制御するＡＳＩＣであり、ＡＳＩＣ６０Ｍは、マゼンダ（Ｍ）に対応するトナー画像形成ユニットＦＭに設けられたレーザ露光器Ｆｃを制御するＡＳＩＣであり、ＡＳＩＣ６０Ｃは、シアン（Ｃ）に対応するトナー画像形成ユニットＦＣに設けられたレーザ露光器Ｆｃを制御するＡＳＩＣであり、また、ＡＳＩＣ６０Ｂは、ブラック（ＢＫ）に対応するトナー画像形成ユニットＦＢに設けられたレーザ露光器Ｆｃを制御するＡＳＩＣである。
各ＡＳＩＣ６０Ｙ、６０Ｍ、６０Ｃ、６０Ｂは、各色に対応する画像データに基づいて、レーザ露光器ＦｃをＰＷＭ(Pulse Width Modulation)制御するためのＰＷＭ信号（所定のデューティ比を有するパルス信号）を生成する機能を有している。
【００２７】
図２に示すように、本実施形態におけるクロック供給システムは、水晶発振器（第１クロック生成器）７０と、ＳＳＣＧ（第２クロック生成器）７１と、遅延回路７２Ｍ、７２Ｃ及び７２Ｂとから構成されている。なお、上記の遅延回路７２Ｍ、７２Ｃ、７２Ｂは、本発明における位相調整回路を構成するものである。
【００２８】
水晶発振器７０は、一定周波数（例えば３０ＭＨｚ）の第１クロック信号ＣＬＫ１を生成してＳＳＣＧ７１に出力する。ＳＳＣＧ７１は、水晶発振器７０から供給される第１クロック信号ＣＬＫ１の周波数変調を行うことにより、周期的に周波数が変動する第２クロック信号ＣＬＫ２を生成してＡＳＩＣ６０Ｙ、遅延回路７２Ｍ、７２Ｃ、７２Ｂに並列的に出力する。図３（ａ）に、ＳＳＣＧ７１によって生成される第２クロック信号ＣＬＫ２の変調波形（時間に対する周波数波形）の一例を示す。
【００２９】
遅延回路７２Ｍ、７２Ｃ、７２Ｂは、ＳＳＣＧ７１と各ＡＳＩＣ６０Ｍ、６０Ｃ、６０Ｂとの間に並列的に配設された第２クロック信号ＣＬＫ２の伝送線路上に設けられた遅延回路であり、それぞれ互いに異なる遅延量が設定されている。具体的には、遅延回路７２Ｍの遅延量は、第２クロック信号ＣＬＫ２の位相が９０°ずれるように（例えば９０°遅れるように）設定されており、遅延回路７２Ｃの遅延量は、第２クロック信号ＣＬＫ２の位相が１８０°（例えば１８０°遅れるように）設定されており、また、遅延回路７２Ｂの遅延量は、第２クロック信号ＣＬＫ２の位相が２７０°ずれるように（例えば２７０°遅れるように）設定されている。
【００３０】
上記のような構成のクロック供給システムによって、各ＡＳＩＣ６０Ｙ、６０Ｍ、６０Ｃ、６０Ｂには、９０°ずつ位相のずれた第２クロック信号ＣＬＫ２が供給されることになる。図３（ｂ）は、各ＡＳＩＣ６０Ｙ、６０Ｍ、６０Ｃ、６０Ｂのそれぞれに供給される第２クロック信号ＣＬＫ２の変調波形を同一時間軸上で並べた図である。このように、本実施形態におけるクロック供給システムでは、単一のＳＳＣＧ７１を用いて、各ＡＳＩＣ６０Ｙ、６０Ｍ、６０Ｃ、６０Ｂに変調周期がずれた第２クロック信号ＣＬＫ２を供給することが可能となる。
従って、本実施形態によれば、ＳＳＣＧ７１の変調度を大きくすることなく、且つ低コスト（ＳＳＣＧ７１を１つ用意すれば良い）で、各ＡＳＩＣ６０Ｙ、６０Ｍ、６０Ｃ、６０Ｂから放射されるノイズを効果的に低減することが可能となる。
【００３１】
なお、本発明は上記実施形態に限定されず、以下のような変形例が考えられる。
（１）上記実施形態では、位相調整回路として、各ＡＳＩＣ６０Ｍ、６０Ｃ、６０Ｂの外部に遅延回路７２Ｍ、７２Ｃ、７２Ｂを設けた場合を例示して説明したが、本発明はこれに限定されず、各ＡＳＩＣ６０Ｙ、６０Ｍ、６０Ｃ、６０Ｂで使用される第２クロック信号ＣＬＫ２の位相が、各ＡＳＩＣ毎に異なるように位相調整を行うことができる位相調整回路であれば、他の構成を採用しても良い。
【００３２】
図４は、他の構成を採用した位相調整回路を備えるクロック供給システムの変形例１を示すブロック構成図である。なお、この図４において、図１と同様の構成要素には同一符号を付して説明を省略する。この図４に示すように、本変形例１におけるクロック供給システムでは、位相調整回路として、各ＡＳＩＣ６０Ｙ、６０Ｍ、６０Ｃ、６０Ｂの内部において、第２クロック信号ＣＬＫ２の入力端子と出力端子との間に配設された伝送線路上に遅延回路７３Ｙ、７３Ｍ、７３Ｃ、７３Ｂが設けられている。なお、これら各遅延回路７３Ｙ、７３Ｍ、７３Ｃ、７３Ｂは、それぞれ同一の遅延量（例えば位相が９０°遅れるような遅延量）が設定されている。
【００３３】
さらに、各ＡＳＩＣ６０Ｙ、６０Ｍ、６０Ｃ、６０Ｂは、前段のＡＳＩＣにおける第２クロック信号ＣＬＫ２の出力端子と後段のＡＳＩＣにおける第２クロック信号ＣＬＫ２の入力端子とが接続されるように直列接続され、少なくとも１つのＡＳＩＣ（図４ではＡＳＩＣ６０Ｙ）における第２クロック信号ＣＬＫ２の入力端子は、ＳＳＣＧ７１における第２クロック信号ＣＬＫ２の出力端子と接続されている。
【００３４】
すなわち、本変形例におけるクロック供給システムによっても、単一のＳＳＣＧ７１を用いて、各ＡＳＩＣ６０Ｙ、６０Ｍ、６０Ｃ、６０Ｂに９０°ずつ位相のずれた（つまり変調周期のずれた）第２クロック信号ＣＬＫ２を供給することができ、上記実施形態と同様の効果を得ることができる。さらに、本変形例におけるクロック供給システムでは、ＡＳＩＣの製造工程において、１つのＡＳＩＣに同一特性の１つの遅延回路を設けておけば良いため、クロック供給システム自体のコストを削減することができる。
【００３５】
（２）図５（ａ）は、他の構成を採用した位相調整回路を備えるクロック供給システムの変形例２を示すブロック構成図である。この図５（ａ）に示すように、本変形例１におけるクロック供給システムでは、各ＡＳＩＣ６０Ｍ、６０Ｃ、６０Ｂに遅延回路として、フリップフロップ回路７４Ｍ、７４Ｃ、７４Ｂが設けられ、それらフリップフロップ回路７４Ｍ、７４Ｃ、７４Ｂの動作クロックとして、ＳＳＣＧ７１から入力される第２クロック信号ＣＬＫ２の４逓倍の周波数（１２０ＭＨｚ）を有する動作クロックを生成するＰＬＬ(Phase Locked Loop)回路７５ＹがＡＳＩＣ６０Ｙに設けられている。
【００３６】
図５（ｂ）は、図５（ａ）に示すクロック供給システムにおいて、ＡＳＩＣ６０Ｙで使用される第２クロック信号ＣＬＫ２_Ｙと、ＡＳＩＣ６０Ｍで使用される第２クロック信号ＣＬＫ２_Ｍと、ＡＳＩＣ６０Ｃで使用される第２クロック信号ＣＬＫ２_Ｃと、ＡＳＩＣ６０Ｂで使用される第２クロック信号ＣＬＫ２_Ｂと、ＰＬＬ回路７５Ｙによって生成される動作クロックＰＬＬ_ＣＬＫとの時間的対応関係を示すタイミングチャートである。この図５（ｂ）に示すように、各ＡＳＩＣ６０Ｙ、６０Ｍ、６０Ｃ、６０Ｂには、９０°ずつ位相のずれた第２クロック信号ＣＬＫ２が供給されることがわかる。
【００３７】
（３）上記実施形態では、画像形成装置１００に用いられるクロック供給システムを例示して説明したが、本発明に係るクロック供給システムは画像形成装置だけでなく、複数の電子部品（クロック供給対象回路）に周波数変調されたクロック信号を供給するような装置或いはシステムに適用可能であることは勿論である。
【符号の説明】
【００３８】
１００…画像形成装置、１…原稿読取装置、２…ＭＦＰ本体、１０…スキャナ部、２０…ＡＤＦ、３…トナー画像形成部、４…定着部、５…用紙搬送機構、６、７、８…給紙カセット、６０Ｙ、６０Ｍ、６０Ｃ、６０Ｂ…ＡＳＩＣ、７０…水晶発振器、７１…ＳＳＣＧ、７２Ｍ、７２Ｃ、７２Ｂ、７３Ｙ、７３Ｍ、７３Ｃ、７３Ｂ…遅延回路、７４Ｍ、７４Ｃ、７４Ｂ…フリップフロップ回路、７５Ｙ…ＰＬＬ回路
【図１】
2011035611.tif 000003
【図２】
2011035611.tif 000004
【図３】
2011035611.tif 000005
【図４】
2011035611.tif 000006
【図５】
2011035611.tif 000007